(57)【要約】【課題】操作に影響を与えることなくガタツキ及びバタツキの双方を抑えつつ前方及び側方からの意匠性をも高め、低コストで、意匠を表現するよう形成した正面カバーを有するロールスクリーンを提供する。【解決手段】本発明によるロールスクリーンは、取付フレーム１の両端の支持部材２に支持される巻取パイプ３によりスクリーン４を昇降させるように構成され、巻取パイプ３の全部又は一部を正面から覆い隠す正面カバー１０を備える。一態様の正面カバー１０は、その軸部１０ａが取付フレーム２に対し直接的に回動可能に支持され、その回動範囲内で常に正面カバー１０の重心Ｃｇが軸部１０ａの回転中心Ｃｏより前方に設定される。また、一態様の正面カバー１０は、成形用樹脂材料と一種以上の模様付け用樹脂材料を用いた押出成形により意匠を表現するよう形成される。【選択図】図７
2020153143.tif 000002
【特許請求の範囲】
【請求項１】
取付フレームの両端に設けられる支持部材に対し回転可能に支持される巻取パイプによりスクリーンを昇降させるロールスクリーンであって、
前記巻取パイプの全部又は一部を正面から覆い隠す正面カバーを備え、
前記正面カバーは、前記正面カバーの軸部が前記取付フレームに対し直接的に支持されて回動可能とし、その回動範囲内で常に前記正面カバーの重心が前記軸部の回転中心より前方に設定されていることを特徴とするロールスクリーン。
【請求項２】
取付フレームの両端に設けられる支持部材に対し回転可能に支持される巻取パイプによりスクリーンを昇降させるロールスクリーンであって、
前記巻取パイプの全部又は一部を正面から覆い隠す正面カバーを備え、
前記正面カバーは、前記取付フレームに対し直接的に支持され、成形用樹脂材料と一種以上の模様付け用樹脂材料を用いた押出成形により意匠を表現するよう形成されていることを特徴とするロールスクリーン。
【請求項３】
前記正面カバーは、その下端が前記巻取パイプの軸中心よりも下方に位置する上下方向長さを有し、少なくとも前記巻取パイプの軸中心の鉛直方向位置まで前記支持部材の縁部に沿う側面形状を有することを特徴とする、請求項１又は２に記載のロールスクリーン。
【請求項４】
前記巻取パイプの軸中心よりも下方に位置する前記正面カバーの下端は、前記巻取パイプの断面径より大きい径で前記巻取パイプの外形に倣う方向に湾曲する形状を有することを特徴とする、請求項１から３のいずれか一項に記載のロールスクリーン。
【請求項５】
回動可能とした前記正面カバーは、その回動範囲内で常に前記正面カバーの重心が前記巻取パイプの軸中心より上方になるように設定される形状を有することを特徴とする、請求項１から４のいずれか一項に記載のロールスクリーン。
【請求項６】
回動可能とした前記正面カバーは、前記巻取パイプに対する前記スクリーンの巻太りが所定量以下であるときに、前記スクリーンとは非接触となるように構成されていることを特徴とする、請求項１から５のいずれか一項に記載のロールスクリーン。
【請求項７】
回動可能とした前記正面カバーは、前記巻取パイプに前記スクリーンが巻き取られる範囲内では常に前記正面カバーの下端が前記巻取パイプの軸中心より下方に位置するとともに前記スクリーンに対し非接触とする、上下方向長さを有することを特徴とする、請求項１から６のいずれか一項に記載のロールスクリーン。
【請求項８】
前記回動可能とした前記正面カバーは、前記取付フレームに対し側方のみから着脱可能に構成されていることを特徴とする、請求項１から７のいずれか一項に記載のロールスクリーン。
【請求項９】
前記スクリーンの下端に設けられるウェイトバーは、前記巻取パイプの断面径ＰＷに対して、上下方向長さとなる高さＢＨと前後方向長さとなる幅ＢＷとがＰＷ＞ＢＷ＞ＢＨを満たす、前後両側部から底部に亘って非円形且つ非方形である略楕円形の全曲面外壁を持つ形状で構成されていることを特徴とする、請求項１から８のいずれか一項に記載のロールスクリーン。
【発明の詳細な説明】
【技術分野】
【０００１】
本発明は、遮蔽材（生地やスダレ等）をスクリーンとして有するロールスクリーンに関する。
【背景技術】
【０００２】
従来、遮蔽材（生地やスダレ等）をスクリーンとして有するロールスクリーンが知られている。また、ロールスクリーンは、巻取パイプによりスクリーンを巻き取り、或いは巻き戻すことにより、スクリーンを昇降させることができる。
【０００３】
ところで、ロールスクリーンの一種として、ロールスクリーンにおける巻取パイプの大部分を正面から覆い隠すことができ回動可能とする正面カバーを設けたものが知られている（例えば、特許文献１，２参照）。また、スクリーンを巻き取る巻取パイプと、この巻取パイプの上方に位置する取付フレームの下面との間の隙間からの光漏れを防止するために、取付フレームの前後方向端部や下面で回動可能に支持される遮光フィンを設けたものもある（例えば、特許文献３参照）。
【０００４】
また、ロールスクリーンの一種として、例えば二重に重ね合わせたスクリーンを上下方向に相対移動させて室内への採光量を調節可能としたロールスクリーンも知られている。
【０００５】
このようなロールスクリーンにおけるスクリーンは、光を一部透過させる透過部と、光を遮る遮光部とが縞状に交互に形成され、このスクリーンが二重に重ね合わされた状態で吊下支持されている。そして、操作手段の操作により、前後のスクリーンを上下方向に相対移動させて、透過部と遮光部との重なり具合を調整することにより、採光量を調節可能としている。
【先行技術文献】
【特許文献】
【０００６】
【特許文献１】特開２０１３−１３６９００号公報
【特許文献２】特開２０００−１２０２４２号公報
【特許文献３】特開２０１６−１９９９８６号公報
【発明の概要】
【発明が解決しようとする課題】
【０００７】
上記の特許文献１，２には、ロールスクリーンにおける巻取パイプの大部分を正面から覆い隠すことができ回動可能とする正面カバーが開示されている。
【０００８】
しかし、特許文献１に開示される正面カバー（カバー材）は取付フレームとは別の当該取付フレームの下方から前方に延びるカバー支持部材に対し当該正面カバーの頂部より下方位置で支持されているため、その回動範囲が揺動程度に制限される。このため、巻取パイプの回転を操作する操作コードを設けたロールスクリーンに対してはその正面カバー（カバー材）の存在が邪魔になることから、スクリーン下端部の操作で昇降させるロールスクリーンに対してしか当該正面カバーを適用できないという問題がある。また、特許文献１に開示される当該正面カバーは、常にスクリーンに当接するようにその軸部と重心が鉛直方向上に位置するよう自由回動（即ち、揺動）で支持するものとなっており、長期にわたり使用したときにスクリーンが損傷するおそれがあるという問題がある。更に、特許文献１に開示される当該正面カバーは、その軸部と重心が鉛直方向上に位置するよう自由回動（即ち、揺動）することからバタツキやすいという問題がある。
【０００９】
また、特許文献２に開示される正面カバー（フロントカバー）は、取付フレームとは別の当該取付フレームの左右方向端部に設けられる支持部材に対し当該正面カバーの軸部の回動範囲を制限するよう支持する構成となっているため、取付フレーム自体に軸支されるものではないことから当該正面カバーの軸部の回動が安定せずガタツキが生じやすく、バタツキも生じやすいという問題がある。
【００１０】
また、特許文献３に開示される遮光フィンは、取付フレームに対し回動可能に直接支持されて回動範囲を比較的大きく取れる構成となっており、このため巻取パイプの回転を操作する操作コードを設けたロールスクリーンに対しても、更にスクリーン端部のウェイトバーの操作で昇降させるロールスクリーンに対しても適用できる構成となっている。ただし、特許文献３に開示される遮光フィンは、巻取パイプと取付フレームの下面との間の隙間からの光漏れを防止しつつ例えばスクリーンの下端に設けられるウェイトバーとの衝突緩和を目的としているため、波状の曲面形状である干渉緩和部を形成したり、屈曲可能な連結式の多部材構成としたりする構成となっている。しかし、この遮光フィンを、巻取パイプの大部分を正面から覆い隠すことができる正面カバーとして用いるにはロールスクリーンの前方及び側方からの意匠性の観点から改善の余地があり、更に当該正面カバーのガタツキは抑制されるものの、よりバタツキを抑える工夫が求められる。
【００１１】
更に、特許文献１乃至３に開示されるウェイトバーは、比較的小径の巻取パイプを用いるロールスクリーンにおいては相対的に大型化して見栄えが悪く、見た目の観点で改善の余地がある。このため、巻取パイプが比較的大径であるか小径であるかの区別なく、任意径の巻取パイプに対して共通に用いられ、且つ物理的に小型化するというだけでなく、視覚的に小型に見えるようにして見栄えを改善し、意匠性を高める技法が求められる。
【００１２】
また、従来技術においては、正面カバーに対し意匠を表現するよう形成するには、何らかのデザインが施された生地を貼付又は掴時させるか、又は直接的に描画することが行われるが、これらの技法では正面カバーのコストが増大するという問題がある。
【００１３】
そこで、本発明の第１の目的は、上述の問題に鑑みて、操作性に影響を与えることなく巻取パイプの大部分を正面から覆い隠すことができるようにするとともに、ガタツキ及びバタツキの双方を抑えつつ安定支持され、且つ前方及び側方からの意匠性をも高めた正面カバーを有するロールスクリーンを提供することにある。
【００１４】
また、本発明の第２の目的は、上述の問題に鑑みて、低コストで、意匠を表現するよう形成した正面カバーを有するロールスクリーンを提供することにある。
【課題を解決するための手段】
【００１５】
本発明による一態様のロールスクリーンは、取付フレームの両端に設けられる支持部材に対し回転可能に支持される巻取パイプによりスクリーンを昇降させるロールスクリーンであって、前記巻取パイプの全部又は一部を正面から覆い隠す正面カバーを備え、前記正面カバーは、前記正面カバーの軸部が前記取付フレームに対し直接的に支持されて回動可能とし、その回動範囲内で常に前記正面カバーの重心が前記軸部の回転中心より前方に設定されていることを特徴とする。
【００１６】
また、本発明による一態様のロールスクリーンは、取付フレームの両端に設けられる支持部材に対し回転可能に支持される巻取パイプによりスクリーンを昇降させるロールスクリーンであって、前記巻取パイプの全部又は一部を正面から覆い隠す正面カバーを備え、前記正面カバーは、前記取付フレームに対し直接的に支持され、成形用樹脂材料と一種以上の模様付け用樹脂材料を用いた押出成形により意匠を表現するよう形成されていることを特徴とする。
【００１７】
また、本発明による一態様のロールスクリーンにおいて、前記正面カバーは、その下端が前記巻取パイプの軸中心よりも下方に位置する上下方向長さを有し、少なくとも前記巻取パイプの軸中心の鉛直方向位置まで前記支持部材の縁部に沿う側面形状を有することを特徴とする。
【００１８】
また、本発明による一態様のロールスクリーンにおいて、前記巻取パイプの軸中心よりも下方に位置する前記正面カバーの下端は、前記巻取パイプの断面径より大きい径で前記巻取パイプの外形に倣う方向に湾曲する形状を有することを特徴とする。
【００１９】
また、本発明による一態様のロールスクリーンにおいて、回動可能とした前記正面カバーは、その回動範囲内で常に前記正面カバーの重心が前記巻取パイプの軸中心より上方になるように設定される形状を有することを特徴とする。
【００２０】
また、本発明による一態様のロールスクリーンにおいて、回動可能とした前記正面カバーは、前記巻取パイプに対する前記スクリーンの巻太りが所定量以下であるときに、前記スクリーンとは非接触となるように構成されていることを特徴とする。
【００２１】
また、本発明による一態様のロールスクリーンにおいて、回動可能とした前記正面カバーは、前記巻取パイプに前記スクリーンが巻き取られる範囲内では常に前記正面カバーの下端が前記巻取パイプの軸中心より下方に位置するとともに前記スクリーンに対し非接触とする、上下方向長さを有することを特徴とする。
【００２２】
また、本発明による一態様のロールスクリーンにおいて、前記回動可能とした前記正面カバーは、前記取付フレームに対し側方のみから着脱可能に構成されていることを特徴とする。
【００２３】
また、本発明による一態様のロールスクリーンにおいて、前記スクリーンの下端に設けられるウェイトバーは、前記巻取パイプの断面径ＰＷに対して、上下方向長さとなる高さＢＨと前後方向長さとなる幅ＢＷとがＰＷ＞ＢＷ＞ＢＨを満たす、前後両側部から底部に亘って非円形且つ非方形である略楕円形の全曲面外壁を持つ形状で構成されていることを特徴とする。
【発明の効果】
【００２４】
本発明によれば、操作性に影響を与えることなく巻取パイプの大部分を正面から覆い隠すことができるようにするとともに、ガタツキ及びバタツキの双方を抑えつつ安定支持され、且つ前方及び側方からの意匠性をも高めた正面カバーを有するロールスクリーンを構成することができる。
【図面の簡単な説明】
【００２５】
【図１】（ａ）,（ｂ）は、それぞれ本発明による第１実施形態のロールスクリーンの概略構成を示す正面図と、一部透視図示する側面図である。
【図２】（ａ）乃至（ｃ）は、それぞれ本発明による第１実施形態のロールスクリーンにおける操作ユニットの動作とこれに係る正面カバーの動作を示す部分的な断面側面図である。
【図３】本発明による第１実施形態のロールスクリーンにおける正面カバーの取り付けと、サイドカバーの関係を示す部分的な斜視図である。
【図４】（ａ）,（ｂ）は、それぞれ本発明による第１実施形態のロールスクリーンにおける比較的大径の巻取パイプを有する際の正面カバーに係る動作を概略的に示す部分的な透視側面図である。
【図５】（ａ）,（ｂ）は、それぞれ本発明による第１実施形態のロールスクリーンにおける比較的小径の巻取パイプを有する際の正面カバーに係る動作を概略的に示す部分的な透視側面図である。
【図６】（ａ）,（ｂ）は、それぞれ小径の巻取パイプを有するロールスクリーンにおいて、従来技術におけるウェイトバーと、本発明による第１実施形態のロールスクリーンにおけるウェイトバーを概略的に断面図示する部分的な透視側面図である。
【図７】本発明による第１実施形態のロールスクリーンにおける正面カバーの構成に係る部分的な断面側面図である。
【図８】（ａ）,（ｂ）は、それぞれ本発明による変形例のロールスクリーンの構成を概略的に示す部分的な透視側面図である。
【図９】（ａ）乃至（ｃ）は、それぞれ成形用樹脂材料と模様付け用樹脂材料を用いた押出成形により意匠を表現するよう形成した本発明に係る正面カバーを例示する部分的な正面図である。
【図１０】（ａ）,（ｂ）は、それぞれ本発明による第２実施形態のロールスクリーンの概略構成を示す正面図と、一部透視図示する側面図である。
【発明を実施するための形態】
【００２６】
以下、図面を参照して、本発明による各実施形態のロールスクリーンを説明する。尚、本願明細書中、図１（ａ）に示すロールスクリーンの正面図に対して、図示上方及び図示下方をそれぞれ上方向（又は上側）及び下方向（又は下側）と定義し、図示左方向をロールスクリーンの左側、及び、図示右方向をロールスクリーンの右側と定義して説明する。また、以下に説明する例では、図１（ａ）に示すロールスクリーンの正面図に対して、視認する側を前側（又は室内側）、その反対側を後側（又は室外側）とする。
【００２７】
〔第１実施形態〕
（全体構成）
まず、図１を参照して、本発明による第１実施形態のロールスクリーンの構成を説明する。図１（ａ）,（ｂ）は、それぞれ本発明による第１実施形態のロールスクリーンの概略構成を示す正面図と、一部透視図示する側面図である。
【００２８】
図１に示すように、本実施形態のロールスクリーンは、ブラケット８を介して取付フレーム１の上端を天井面等の取付面に固定して設置される。そして、取付フレーム１の左右両端に支持部材２が固定され、その支持部材２から延びる固定軸（図示せず）によって、左右の支持部材２間に円筒状の巻取パイプ３が回転可能に支持される。
【００２９】
尚、支持部材２は、後述する図３に示すように、取付ネジを用いて取付フレーム１に固定され、更に巻取パイプ３を回転可能に支持するための当該固定軸を取付ネジを用いて固定するようになっていることから、その意匠性を向上させるべくサイドカバー９が支持部材２取着されている。
【００３０】
巻取パイプ３の右端部には、巻取パイプ３及び支持部材２に対して相対回動可能な操作ユニット６が設けられている。また、操作ユニット６内には、操作プーリー６０（図２参照）が収容され、この操作プーリー６０に掛回される無端状の操作コード７が垂下されている。そして、操作コード７の操作により巻取パイプ３を回転操作可能とするよう構成されている。本例の操作コード７は、所定ピッチで連続するボール部及びチェーン部からなる無端状のボールチェーンで構成され、操作プーリー６０の表面は、そのボール部に適合する形状の凹凸を有するように構成される。
【００３１】
巻取パイプ３は、スクリーン４の一辺を取着して巻き取り可能に吊下支持しており、巻取パイプ３から垂下し、錘部材として機能するウェイトバー５を介して折り返されたスクリーン４の他辺は、巻取パイプ３よりも上部に位置する取付フレーム１の室外側端面に設けられた固定部１ａ（図２参照）に取着されている。固定部１ａは、図２に示すように、スクリーン４の長さを調整可能にして、スクリーン４の端部を着脱可能に係止することができる。そして、ウェイトバー５には、その左右両端部でカバー材５１により回転可能に支持されるローラー５２が設けられ、巻取パイプ３と固定部１ａとの間で垂下されるスクリーン４の下端部にはこのローラー５２が挿通される。ウェイトバー５の外壁上端には折り返されたスクリーン４を案内するように開口した開口部５ａが設けられ、これにより、スクリーン４はウェイトバー５の重量（主としてローラー５２の重量）に基づいて張設される。尚、ウェイトバー５の外壁は、ローラー５２に巻かれるスクリーン４の膨らみ防止機能と意匠性を向上させる機能を有する。
【００３２】
ところで、このような二重のスクリーン４を垂下するロールスクリーンの場合、そのウェイトバー５に設けられるローラー５２によって二重のスクリーンの下端部を折り返し円滑に移動させるよう構成することができるが、後述する図５に示すように、そのウェイトバー５の開口部５ａ近傍に当該スクリーン４と当接しその開口幅を調節可能とする案内部材５３を設けるのが好適である。この案内部材５３は、ウェイトバー５の外壁上縁部に対するスクリーン４の保護及び擦れ音を低減させるよう、その表面を丸めた形状とするのが好適である。また、図５に示すように、ウェイトバー５の室外側外表面上に、窓等との衝突を緩和するために軟質樹脂で成形されたダンパー材５４を設けるのが好適である。
【００３３】
従って、操作コード７を操作して巻取パイプ３をスクリーン巻取り方向へ回転させるとウェイトバー５が上昇し、巻取パイプ３をスクリーン巻戻し方向へ回転させるとウェイトバー５が下降する。
【００３４】
また、巻取パイプ３内において、その左端側にはスクリーン４の巻上時の操作力を軽減するスプリングモーター、右端側にはスクリーン４の自重降下を防止するストッパー装置等が収容されている（図示せず）。
【００３５】
本例では図１に示すように、スクリーン４は、光を一部透過させる透過部４ｂと、光を遮る遮光部４ａとが縞状に交互に形成され、このスクリーン４が二重に重ね合わされた状態で吊下支持されているため、操作コード７の操作により、前後のスクリーン４を上下方向に相対移動させて、透過部４ｂと遮光部４ａとの重なり具合を調整することにより、採光量が調節可能となっている。尚、光を一部透過させる透過部４ｂと、光を遮る遮光部４ａとが縞状に交互に形成するピッチは、任意に定めることができる。
【００３６】
図２（ａ）乃至（ｃ）は、それぞれ本実施形態のロールスクリーンにおける操作ユニット６の動作とこれに係る正面カバー１０の動作を示す部分的な断面側面図である。本実施形態に係るロールスクリーンでは、図２に示すように、操作ユニット６は、巻取パイプ３及び支持部材２に対して相対回動可能に設けられ、操作コード７による操作時に、振り子動作するようになっている。取付フレーム１の底部には、以下に説明する可動フィン２０の基軸を支持する支持部１ｃが設けられている。好適には可動フィン２０の上下方向の長さは、取付フレーム１と巻取パイプ３との間の隙間を塞ぐのに十分な長さを有する。このように、可動フィン２０は、取付フレーム１の室外側で取付フレーム１の長手方向（左右方向）のほぼ全長に亘って設けられ、取付フレーム１に対して前後方向に相対回動可能に支持される。
【００３７】
そして、操作ユニット６の振り子動作に応じて操作ユニット６の上部に形成される突出片６ａが可動フィン２０の左右方向の端部に設けられたフィンカバー２２の補助部材２１を押圧することで、当該二重のスクリーン４の間隔が離れるよう作動する。このように、可動フィン２０は、フィンカバー２２及びその補助部材２１とともに、操作ユニット６の振り子動作に応じて当該二重のスクリーン４の間隔が離れるよう作動する遮蔽材間隔調整機構として構成される。
【００３８】
つまり、図２（ａ）を参照するに、操作ユニット６は、操作プーリー６０（及び巻取パイプ３）に対して相対回動可能に支持され、ウェイトバー５の下限位置、中間位置及び上限位置のそれぞれの静止時では、操作ユニット６には自重（スクリーン４やウェイトバー５等の重量）で前後のスクリーン４が密着する方向にトルクが働く。これにより、操作コード７は操作ユニット６に設けられた操作コード７の垂下を案内するためのコード案内部材６ｂ，６ｃ，６ｄを基準に垂下される。
【００３９】
この静止時では、ウェイトバー５が下限位置にあるとき、或いはウェイトバー５の中間位置及び上限位置で巻取パイプ３に所定の巻取径でスクリーン４が巻き取られている状態にあるとき、二重のスクリーン４の間隔を近接又は密着させる位置（二重のスクリーン４の間隔ｄ１）で安定化するようになっている。従って、二重のスクリーン４の透過部４ｂと遮光部４ａとをずらして半透過状態とすることや、スクリーン４の透過部４ｂと遮光部４ａとを一致させて遮光状態とすることができ、特に、遮光状態としたときの遮光性を向上させることができる。
【００４０】
次に、図２（ｂ）を参照するに、例えばウェイトバー５が下限位置や中間位置にある状態からウェイトバー５を上昇させるよう操作コード７を操作すると、巻取パイプ３にスクリーン４が巻き取られる。このとき、操作コード７が室内側のコード案内部材６ｄに当接して操作ユニット６に時計回りのトルクが加わることにより操作ユニット６が振り子動作し、操作ユニット６の突出片６ａの側端部が可動フィン２０を回動させ、室外側のスクリーン４を押圧する。このため、二重のスクリーン４の操作時の間隔ｄ２が、静止時の間隔ｄ１より大きくなるよう構成されている。従って、上昇操作時に二重のスクリーン４が摩擦することなく、或いは摩擦はしても昇降中の一部分的か、又は摩擦力が低減されて相対移動するため、スクリーン４を損傷するおそれが無くなる。
【００４１】
同様に、図２（ｃ）を参照するに、例えばウェイトバー５が中間位置や上限位置にある状態からウェイトバー５を下降させるよう操作コード７を操作すると、巻取パイプ３に巻き取られていたスクリーン４が下降する。このとき、操作コード７が室外側のコード案内部６ｃに当接して操作ユニット６に時計回りのトルクが加わることにより操作ユニット６が振り子動作し、操作ユニット６の突出片６ａの側端部が可動フィン２０を回動させ、室外側のスクリーン４を押圧する。このため、二重のスクリーン４の操作時の間隔ｄ３が、静止時の間隔ｄ１より大きくなるよう構成されている。従って、下降操作時に二重のスクリーン４が摩擦することなく、或いは摩擦はしても昇降中の一部分的か、又は摩擦力が低減されて相対移動するため、スクリーン４を損傷するおそれが無くなる。
【００４２】
ところで、図１及び図２に示すように、本実施形態に係るロールスクリーンでは、取付フレーム１の室内側でその長手方向（左右方向）のほぼ全長に亘って、常に巻取パイプ３を正面から覆い隠すのに十分な上下方向長さを有する正面カバー１０が設けられている。そして、正面カバー１０の頂部が取付フレーム１の前方端部で直接軸支され、前方に回動する範囲が大きく取れるようになっている。また、図１及び図２に示すように、意匠性を高めるために操作ユニット６の大部分をも覆うように正面カバー１０が設けられている。このように操作ユニット６の大部分をも覆うように正面カバー１０が設けていても、操作ユニット６の振り子動作に応じて正面カバー１０が大きく回動できるようになっているため（図２（ｂ），（ｃ）に示す正面カバー１０に係る矢印方向参照）、操作ユニット６の操作の邪魔とはならず、操作性及び意匠性の向上を両立させている。また、この正面カバー１０は、巻取パイプ３の回転を操作する操作コード７を設けたロールスクリーンに対してだけでなく、スクリーン４下端部の操作で昇降させるロールスクリーンに対しても適用できることは云うまでもない。
【００４３】
（正面カバー）
図３は、本実施形態のロールスクリーンにおける正面カバー１０の取り付けと、サイドカバー９の関係を示す部分的な斜視図である。正面カバー１０は、全体の概略形状として、取付フレーム１の室内側でその長手方向（左右方向）のほぼ全長に亘って、常に巻取パイプ３を正面から覆い隠すのに十分な上下方向長さを有している。そして、正面カバー１０の頂部が取付フレーム１の前方端部で直接軸支されることで、前方に回動する範囲が大きい態様で、且つガタツキ及びバタツキの双方を抑えつつ安定した回動が可能となっている。
【００４４】
より具体的には、取付フレーム１の前方端部下方には、その長手方向に延在する略Ｃ字断面形状の軸受部１ｂが形成されている。この軸受部１ｂに正面カバー１０の軸部１０ａが係合しており、これにより正面カバー１０は、取付フレーム１の室内側で前方に回動する範囲が大きい態様で回動可能に支持される。取付フレーム１の長手方向の両端部には支持部材２が取着されている。
【００４５】
尚、支持部材２には、取付フレーム１の軸受部１ｂの略Ｃ字断面形状とほぼ合致する大きさの切欠き２ａが設けられている。この切欠き２ａは、取付フレーム１を支持部材２によって固定した後で、正面カバー１０の軸部１０ａを左右方向からスライドさせて軸受部１ｂに挿入して支持可能にするために設けられている。尚、正面カバー１０の軸部１０ａは、取付フレーム１に対し正面から装着することはできないようになっており、即ち、一旦装着すると、正面カバー１０がどのように回動しても取付フレーム１から外れることはない。即ち、取付フレーム１の軸受部１ｂに対し側方から正面カバー１０をスライドさせて着脱可能とし、このスライド以外は着脱不可として安定保持させるようになっている。
【００４６】
そして、正面カバー１０を取付フレーム１に取り付けてから、支持部材２に対しサイドカバー９を取着することで、支持部材２における各種の取付ネジ及び切欠き２ａを正面から覆い隠すことができる。本実施形態の例では、サイドカバー９の縁部に、正面カバー１０の左右方向の両端位置を規制するよう凸部９ａが形成されている。
【００４７】
図３にて拡大視で断面図示するように、取付フレーム１の軸受部１ｂは、取付フレーム１の底部から上方に延びる回動規制片１ｄの先端に図示するような半円状の折曲軸１ｅを形成し、正面カバー１０の軸部１０ａを支持可能にしている。回動規制片１ｄは、正面カバー１０の下方への回動を規制する機能を有する。一方、正面カバー１０の軸部１０ａ近傍に正面カバー１０の下方への回動を規制するよう突出する略板状の突起部１０ｃが形成されている。従って、正面カバー１０の突起部１０ｃが取付フレーム１の回動規制片１ｄに当接することで、正面カバー１０の下方への回動が規制される。
【００４８】
また、取付フレーム１の軸受部１ｂの上方には、正面カバー１０の上方への回動を規制するための前方に突出する略板状の回動規制片１ｆが形成されている。そして、正面カバー１０の軸部１０ａの先端は、図示するように略Ｌ字断面形状で形成され、軸受部１ｂに対して空間的余裕を持たせた状態で係合させることで、正面カバー１０の軸部１０ａが軸受部１ｂから外れにくくするとともに、正面カバー１０の回動自由度を高めている。
【００４９】
一方、このように回動自由度を高めた態様で正面カバー１０の軸部１０ａを軸受部１ｂに軸支させると、正面カバー１０と回動規制片１ｆの回動干渉により不快な干渉音（接触音）を生じさせることから、軸部１０ａには、図３で示すように軸部１０ａの厚みを変化させ、回動範囲で肉厚を持たせた曲部１０ｂが形成されている。このように、正面カバー１０の軸部１０ａは、正面カバー１０の頂部に設けられ、且つ取付フレーム１に直接支持されるととともに、回動負荷を軽減するのに十分な空間を保持しつつ回動範囲を大きくとれるものとし、回動時のガタツキを抑制することにより当該干渉音を軽減するようになっている。尚、正面カバー１０のバタツキを抑制する工夫については後述する。
【００５０】
まず、正面カバー１０は、図４及び図５に例示するように、巻取パイプ３が比較的大径であるか小径であるかの区別なく、任意径の巻取パイプ３に対して共通に用いることができる。そして、正面カバー１０は、ウェイトバー５が下限位置にあるときなど任意径の巻取パイプ３に対しスクリーン４の巻太りが所定量未満となるときでは側面視でサイドカバー９の縁部に沿うようになる。
【００５１】
図４（ａ）,（ｂ）は、それぞれ本実施形態のロールスクリーンにおける比較的大径（径ｐｗ１）の巻取パイプ３を有する際の正面カバー１０に係る動作を概略的に示す部分的な透視側面図である。また、図５（ａ）,（ｂ）は、それぞれ本実施形態のロールスクリーンにおける比較的小径（径ｐｗ２（＜ｐｗ１））の巻取パイプ３を有する際の正面カバー１０に係る動作を概略的に示す部分的な透視側面図である。尚、図４及び図５において、同様な構成要素には同一の参照番号を付している。
【００５２】
図４（ａ）及び図５（ａ）にそれぞれ例示するように、正面カバー１０は、任意径の巻取パイプ３にて所定量未満に巻細るスクリーン４に対し非接触となるように、正面カバー１０の突起部１０ｃが取付フレーム１の回動規制片１ｄに当接することで、正面カバー１０の下方への回動が規制されるものとなっている。そして、ウェイトバー５が下限位置にあるときなど任意径の巻取パイプ３に対しスクリーン４の巻太りが所定量未満となるこの状態では、図示するように、正面カバー１０は側面視でサイドカバー９の縁部に沿うようになり、正面カバー１０の下端は、巻取パイプ３の大部分を正面から覆い隠すことができるように、巻取パイプ３の軸中心よりも下方に位置する上下方向長さを有し、少なくとも巻取パイプ３の軸中心の鉛直方向位置まで支持部材２の縁部に沿う側面形状を有するものとなっている。
【００５３】
一方、図４（ｂ）及び図５（ｂ）にそれぞれ例示するように、正面カバー１０が任意径の巻取パイプ３にて所定量以上に巻太るスクリーン４に対し接触し、その巻太り時でも十分に回動するよう、取付フレーム１の回動規制片１ｆが設定される。
【００５４】
そして、図４及び図５に示すように、正面カバー１０は、任意径の巻取パイプ３に対し、スクリーン４が巻き取られる範囲内では常に正面カバー１０の下端が巻取パイプ３の軸中心より下方に位置するとともにスクリーン４に対し非接触とする、上下方向長さを有するように構成される。これは、正面カバー１０の下端がスクリーン４に接触した状態でスクリーン４を昇降させるとスクリーン４の損傷が大きくするおそれがあることから、これを確実に防止するためである。
【００５５】
従って、正面カバー１０は、任意径の巻取パイプ３にて所定量以上に巻太るスクリーン４に対し接触するときは回動し、任意径の巻取パイプ３にて所定量未満に巻細るスクリーン４に対しては非接触となるように構成されているため、長期にわたり使用したときにスクリーン４が損傷するおそれを抑制することができる。
【００５６】
尚、図４（ｂ）及び図５（ｂ）にそれぞれ例示するように、ウェイトバー４についても任意径の巻取パイプ３に対して共通に用いられ、特に、図５（ｂ）に示すように、比較的小径の巻取パイプ３である場合でも、物理的に小型化するというだけでなく視覚的にも小型に見えるように工夫されている。即ち、ウェイトバー４は、任意径の巻取パイプ３の断面径ＰＷ（図４ではｐｗ１、図５ではｐｗ２）に対して、上下方向長さとなる高さＢＨと前後方向長さとなる幅ＢＷとが（案内部材５３及びダンパー材５４を除く）、ＰＷ＞ＢＷ＞ＢＨを満たす、前後両側部から底部に亘って非円形且つ非方形である略楕円形の全曲面外壁を持つ形状で構成されている。
【００５７】
より分かりやすく、説明の便宜上、同様の構成要素には同一の参照番号を付して、従来技術と対比するに、図６（ａ）には小径（径ｐｗ２）の巻取パイプ３を有するロールスクリーンにおける従来技術に係るウェイトバー５’を示しており、図６（ｂ）には小径（径ｐｗ２）の巻取パイプ３を有するロールスクリーンにおける本発明に係るウェイトバー５を示している。図６（ａ）に示す従来技術に係るウェイトバー５’は前後両側部から底部に亘って非円形ではあるが底部が直線的で全曲面外壁を持つ形状ではなく、特に、巻取パイプ３の断面径ＰＷ（図６ではｐｗ２）に対して、高さＢＨ’と幅ＢＷ’とが（案内部材５３及びダンパー材５４を除く）、ＢＨ’＞ＰＷ（＝ｐｗ２）＞ＢＷ’を満たすものとなっている。一方、図６（ｂ）に示す本発明に係るウェイトバー５は、上述したように、巻取パイプ３の断面径ＰＷ（図６ではｐｗ２）に対して、高さＢＨと幅ＢＷとが（案内部材５３及びダンパー材５４を除く）、ＰＷ＞ＢＷ＞ＢＨを満たすものとなっている。そして、非方形とすることは元より非円形とすることで、より小さく見えるようになる。
【００５８】
つまり、本実施形態に係るウェイトバー４は、物理的に小型化するというだけでなく、幅に対し高さを抑制し、尚且つ前後両側部から底部に亘って非円形且つ非方形である略楕円形の全曲面外壁とすることで視覚的に小型に見えるようにしており、これにより任意径の巻取パイプ３に対して見栄えを改善し、意匠性を高めている。
【００５９】
次に、図７を参照して、正面カバー１０のバタツキの抑制について説明する。
【００６０】
図７は、本実施形態のロールスクリーンにおける正面カバー１０の構成に係る部分的な断面側面図である。上述したように、正面カバー１０は、ウェイトバー５が下限位置にあるときなど任意径の巻取パイプ３に対しスクリーン４の巻太りが所定量未満となるときではサイドカバー９の縁部に沿うようになり、尚且つ正面カバー１０の軸部１０ａは、正面カバー１０の頂部に設けられ、且つ取付フレーム１に直接支持されるととともに、回動負荷を軽減するのに十分な空間を保持しつつ回動範囲を大きくとれるものとし、回動時のガタツキを抑制することにより当該干渉音を軽減するようになっている。
【００６１】
このように構成される条件下で、正面カバー１０は、上述した回動範囲内で常に正面カバー１０の重心Ｃｇが軸部１０ａの回転中心Ｃｏより前方（距離Ｄ１≠０）に設定されている。このため、正面カバー１０の軸部と重心が鉛直方向上に位置せず自由回動（即ち、揺動）するものではなくなり、そのバタツキが抑制されるようになる。
【００６２】
また、上述したように、正面カバー１０は、ウェイトバー５が下限位置にあるときなど任意径の巻取パイプ３に対しスクリーン４の巻太りが所定量未満となる状態では、正面カバー１０の下端が巻取パイプ３の軸中心Ｐｏよりも下方に位置（距離Ｄ２≠０）する上下方向長さを有してサイドカバー９の縁部に沿う側面形状となっているため、巻取パイプ３の大部分を正面から覆い隠すことができる。そして、正面カバー１０は、その下端が巻取パイプ３の軸中心Ｐｏよりも下方に位置する上下方向長さを有し、少なくとも巻取パイプ３の軸中心Ｐｏの鉛直方向位置まで支持部材２の縁部に沿う側面形状を有するものとなり、前方からの意匠性だけでなく、側方からの意匠性をも向上させたものとなる。更に、巻取パイプ３の軸中心Ｐｏよりも下方に位置する正面カバー１０の下端は、巻取パイプ３の断面径より大きい径で巻取パイプ３の外形に倣う方向に湾曲する形状を有していることからも、前方からの意匠性だけでなく、側方からの意匠性をも向上させたものとなる。
【００６３】
そして、上述したバタツキの抑制と側方からの意匠性の向上だけでなく、更に操作ユニット６を介する操作負荷の軽減のために、回動可能とした正面カバー１０は、その回動範囲内で常に重心Ｃｇが巻取パイプ３の軸中心Ｐｏより上方になるように設定される形状とするのが好適である。
【００６４】
尚、上述した実施形態の例では、正面カバー１０、並びにウェイトバー５に関して、二重のスクリーン４を垂下するロールスクリーンに対して適用する例を説明したが、図８に例示するように、単一枚でスクリーン４を垂下するロールスクリーンに対しても適用することができる。尚、図８において、上述した構成と同様の構成要素には同一の参照番号を付している。
【００６５】
即ち、図８（ａ）には、単一枚の生地で構成したスクリーン４を垂下するロールスクリーンに対して、上述した正面カバー１０を適用し、且つ任意の巻取パイプ３の断面径ＰＷ（図８（ａ）ではｐｗ１）に対して、高さＢＨと幅ＢＷとが（案内部材５３及びダンパー材５４を除く）、ＰＷ＞ＢＷ＞ＢＨを満たすウェイトバー５を適用した例である。
【００６６】
また、図８（ｂ）には、単一枚のスダレで構成したスクリーン４を垂下するロールスクリーンに対して、上述した正面カバー１０を適用し、且つ任意の巻取パイプ３の断面径ＰＷ（図８（ｂ）ではｐｗ１）に対して、高さＢＨと幅ＢＷとが（案内部材５３及びダンパー材５４を除く）、ＰＷ＞ＢＷ＞ＢＨを満たすウェイトバー５を適用した例である。
【００６７】
このように、単一枚でスクリーン４を垂下するロールスクリーンに対して、上述したような正面カバー１０及びウェイトバー５を構成することで、図２乃至図３で説明した全ての作用・効果を生じさせることができる。
【００６８】
ところで、従来技術においては、正面カバーに対し意匠を表現するよう形成するには、何らかのデザインが施された生地を貼付又は掴時させるか、又は直接的に描画することが行われる。しかし、これらの技法では正面カバーのコストが増大するという問題がある。
【００６９】
そこで、上述した本実施形態の正面カバー１０に限定する必要は無いが、任意の正面カバー（ここでは代表して本実施形態の正面カバー１０）について、成形用樹脂材料と一種以上の模様付け用樹脂材料を用いた押出成形により意匠を表現するよう形成されたものとするのができる。図９（ａ）乃至（ｃ）は、それぞれ成形用樹脂材料と一種以上の模様付け用樹脂材料を用いた押出成形により意匠を表現するよう形成した正面カバー１０を例示する部分的な正面図であり、図９（ａ）では木目調模様とした例、図９（ｂ）ではグラデーション模様とした例、図９（ｃ）では斑模様とした例をそれぞれ示している。
【００７０】
ここで、本発明に係る成形用樹脂材料と模様付け用樹脂材料を用いた押出成形には二通りがあり、第１の押出成形方法として成形用樹脂材料と一種以上の模様付け用樹脂材料とを予め適度な混ざり具合で用意した混成樹脂材料を用いて押出成形に用いる方法と、第２の押出成形方法として成形用樹脂材料を用いた押出成形時にタイミングを図って一種以上の模様付け用樹脂材料を混入させる方法と、がある。
【００７１】
ただし、第１の押出成形方法で、図９（ａ）に示す木目調模様を持つ正面カバー１０を形成できるが、その模様付けができる混成樹脂材料を形成するのに熟練性を要するという問題がある。一方、第２の押出成形方法であれば、図９（ａ），（ｂ），（ｃ）に示すいずれの模様でも、熟練性を要することなく実現できる。
【００７２】
このように、任意の正面カバー（ここでは代表して本実施形態の正面カバー１０）について、成形用樹脂材料と一種以上の模様付け用樹脂材料を用いた押出成形により意匠を表現するよう形成されたものとすることで、従来技法のやり方よりもコストを抑えた態様で、意匠を表現することができ、単色や多色の色調で形成することができる。
【００７３】
〔第２実施形態〕
（全体構成）
次に、図１０を参照して、本発明による第２実施形態のロールスクリーンの構成を説明する。図１０（ａ）,（ｂ）は、それぞれ本発明による第２実施形態のロールスクリーンの概略構成を示す正面図と、一部透視図示する側面図である。尚、図１０において、図１と同様な構成要素には同一の参照番号を付している。
【００７４】
図１０に示す第２実施形態のロールスクリーンは、図１に示すものと比較して、正面カバー１０の正面視の形状が異なる点と、これに係るサイドカバー９の縁部の形状が異なる点を除き、同様に構成される。
【００７５】
上述した図１に示す第１実施形態のロールスクリーンに係る正面カバー１０は、図７に示す構成とするべく、正面カバー１０の突起部１０ｃが取付フレーム１の回動規制片１ｄに当接することで正面カバー１０の下方への回動が規制される例を説明したが、図１０に示す第２実施形態のロールスクリーンでは、図７に示す構成とするべく、正面カバー１０に必ずしも突起部１０ｃを形成する必要が無いように、正面カバー１０がサイドカバー９の縁部に当接することで正面カバー１０の下方への回動が規制される。
【００７６】
尚、図１０に示す例では、正面カバー１０の当接を受けるべくサイドカバー９の縁部に上記の凸部９ａを設けずに前後方向で切り欠いた切欠き９ｂを設けているが、このような切欠き９ｂは必ずしも設けずにサイドカバー９を形成することも可能である。また、第２実施形態の場合でも正面カバー１０に突起部１０ｃを形成しておき、取付フレーム１の回動規制片１ｄとサイドカバー９の縁部のうちいずれか一方又は双方と当接させて、図７に示す構成とすることもできる。
【００７７】
また、サイドカバー９を用いないロールスクリーンの場合も同様、図７に示す構成とするべく、正面カバー１０に必ずしも突起部１０ｃを形成する必要が無いように、正面カバー１０が支持部材２の縁部に当接することで正面カバー１０の下方への回動が規制されるものとしてもよい。更に、正面カバー１０に突起部１０ｃを形成しておき、取付フレーム１の回動規制片１ｄと支持部材２の縁部のうちいずれか一方又は双方と当接させて、図７に示す構成とすることもできる。
【００７８】
また、上述の実施形態では、正面カバー１０により巻取パイプ３の大部分を正面から覆い隠すとして説明したが、正面カバー１０は、巻取パイプ３の全部又は一部を正面から覆い隠すものであればよい。
【００７９】
従って、特定の実施形態の例を挙げて本発明を説明したが、本発明は前述の実施形態の例に限定されるものではなく、その技術思想を逸脱しない範囲で種々変形可能である。
【産業上の利用可能性】
【００８０】
本発明によれば、操作性に影響を与えることなく巻取パイプの大部分を正面から覆い隠すことができるようにするとともに、ガタツキ及びバタツキの双方を抑えつつ安定支持され、且つ前方及び側方からの意匠性をも高めた正面カバー及びウェイトバーを構成することができるので、ロールスクリーンの用途に有用である。
【符号の説明】
【００８１】
１  取付フレーム
１ｂ  軸受部
１ｄ  回動規制片
１ｅ  折曲軸
１ｆ  回動規制片
２  支持部材
２ａ  切欠き
３  巻取パイプ
４  スクリーン
５  ウェイトバー
６  操作ユニット
７  操作コード
８  ブラケット
９  サイドカバー
１０  正面カバー
１０ａ  軸部
１０ｂ  曲部
１０ｃ  突起部
【図１】
2020153143.tif 000003
【図２】
2020153143.tif 000004
【図３】
2020153143.tif 000005
【図４】
2020153143.tif 000006
【図５】
2020153143.tif 000007
【図６】
2020153143.tif 000008
【図７】
2020153143.tif 000009
【図８】
2020153143.tif 000010
【図９】
2020153143.tif 000011
【図１０】
2020153143.tif 000012